(57)【要約】      （修正有）【課題】本発明に係る薄物配布物収納ボックスは、複数の薄物配布物を収納又は収容し、上方からこの薄物配布物を取り出すことができるように構成されている薄物配布物収納ボックスであって、薄物配布物を多数収納できるものであり、取り出し時に束で薄物配布物が取り出されてしまうことを防止する。【解決手段】封筒収納ボックスカバー３とシャーシ５とから直方体形状に形成する。ボックス本体の上方開口に案内プレート部１９を形成する。案内プレート部１９の先端の封筒取り出し用ガイド２１とカバー３の前面プレート部７との間に封筒を一枚又は数枚取り出せるように隙間を設ける。【選択図】図２
2019026308.tif 000002
【特許請求の範囲】
【請求項１】
複数の薄物配布物を収納し、上方からこの薄物配布物を取り出すことができるように構成されている薄物配布物収納ボックスであって、複数枚の薄物配布物を収容する上方開口のボックス本体と、このボックス本体の前記上方開口に形成された取り出し規制部と、この取り出し規制部に又はこの取り出し規制部によって形成された薄物配布物取り出し部と、を備えたことを特徴とする薄物配布物収納ボックス。
【請求項２】
前記ボックス本体は前面部及び後面部を有し、前記取り出し規制部は前記前面部及び後面部の一方の上端部から前記前面部及び後面部の他方に向かって延びる規制プレート部であり、前記薄物配布物取り出し部は前記前面部及び後面部の他方と前記規制プレート部の先端部との間に形成されている、ことを特徴とする請求項１記載の薄物配布物収納ボックス。
【請求項３】
前記規制プレート部の先端部には前記前面部及び後面部の他方と平行又はほぼ並行に延びる折り曲げ部が形成されていて、前記薄物配布物取り出し部は前記前面部及び後面部の他方と前記折り曲げ部との間に形成されている、ことを特徴とする請求項２記載の薄物配布物収納ボックス。
【請求項４】
前記規制プレート部は上方に傾斜しながら前記前面部及び後面部の他方に向かって延びている、ことを特徴とする請求項２又は３記載の薄物配布物収納ボックス。
【請求項５】
前記ボックス本体は底部に薄物配布物載置部を有し、この薄物配布物載置部は上方に傾斜しながら前記前面部及び後面部の他方に向かって延びている、ことを特徴とする請求項２、３又は４記載の薄物配布物収納ボックス。
【請求項６】
前記薄物配布物収納ボックスは前記薄物配布物を一枚だけ又は数枚通過させるように形成されている、ことを特徴とする請求項１、２、３、４又は５記載の薄物配布物収納ボックス。
【発明の詳細な説明】
【技術分野】
【０００１】
本発明は、封筒やチラシなどの薄物配布物の収納ボックスに関するものである。
【背景技術】
【０００２】
例えば銀行などで現金を入れるための封筒、形状的に取り出し部分が全て開口してあるものに収容されているため（特許文献１参照）、束で持ち出されてしまうことがある。
【先行技術文献】
【特許文献】
【０００３】
【特許文献１】実用新案登録第３０７８２３２号
【発明の概要】
【発明が解決しようとする課題】
【０００４】
解決しようとする問題点は、束で封筒などの薄物配布物を持っていかれないこと。
【課題を解決するための手段】
【０００５】
本発明に係る薄物配布物収納ボックスは、複数の薄物配布物を収納又は収容し、上方からこの薄物配布物を取り出すことができるように構成されている薄物配布物収納ボックスであって、複数枚の薄物配布物を収容する上方開口のボックス本体と、このボックス本体の前記上方開口に形成された取り出し規制部と、この取り出し規制部に又はこの取り出し規制部によって形成された薄物配布物取り出し部と、を備えたことを特徴とする。薄物配布物の束を取り出そうとすると取り出し規制部に当たって取り出すことができないが、例えば一枚又は数枚の薄物配布物は薄物配布物取り出し部を通過させて取り出すことができる。薄物配布物取り出し部は薄物配布物を一枚だけ又は数枚まで通過させるように、又は薄物配布物を一枚だけ又は数枚までスムーズに通過させることができるように構成することができる。ボックス本体は前面部及び後面部を有するように形成でき、取り出し規制部は前面部及び後面部の一方の上端部から前面部及び後面部の他方に向かって延びる規制プレート部であり、薄物配布物取り出し部は前面部及び後面部の他方と規制プレート部の先端部との間に形成されるといったように構成できる。規制プレート部は前面部及び後面部の他方と接触するまで、接触状態となるまで又は近接するまで延ばすことができる。薄物配布物をスムーズに取り出すことができるように、規制プレート部の先端部に前面部及び後面部の他方と平行又はほぼ平行に延びる折り曲げ部を形成し、薄物配布物取り出し部を前面部及び後面部の他方と折り曲げ部との間に構成するのが得策である。折り曲げ部は、例えば、前面部及び後面部に沿って上方に又は下方に延びるように形成される。規制プレート部を上方に傾斜しながら前面部及び後面部の他方に向かって延びるように形成しておけば、例えば薄物配布物一枚だけ又は数枚までを薄物配布物取り出し部に案内できる。ボックス本体を底部に薄物配布物載置部を有するように形成し、この薄物配布物載置部を上方に傾斜しながら前面部及び後面部の他方に向かって延びるように構成すれば、例えば薄物配布物一枚だけ又は数枚までを指で挟みやすくなり、薄物配布物取り出し部を通過させやすい。
【発明の効果】
【０００６】
本発明の薄物配布物収納ボックスを用いれば薄物配布物が必要以上に持ち出されるのを防ぐことができる。
【図面の簡単な説明】
【０００７】
【図１】本発明の封筒収納ボックスを右上から見た図である。
【図２】本発明の封筒収納ボックスを背面から見た図である。
【図３】本発明の封筒収納ボックスを開閉時左下から見た図である。
【図４】本発明の封筒収納ボックスを開閉時右上から見た図である
【図５】本発明の封筒収納ボックスへ封筒を収める図である。
【図６】本発明の封筒収納ボックスへ封筒を収めた後の断面図である。
【図７】本発明の封筒収納ボックスを使用し封筒を取り出す過程を説明する図である。
【図８】本発明の封筒収納ボックスを使用し封筒を取り出す場合を示す図である。
【発明を実施するための形態】
【０００８】
図１乃至図４を参照し封筒収納ボックス１（薄物配布物収納ボックス）の実施例を示す。この封筒収納ボックス１では本発明に係る封筒３９の取り出し部分を狭めて抜けないように制限をかけ１枚ずつ又は数枚までつまみやすい構造にしている。また封筒の取り出し部分を傾斜させることで、ひっかかりが無くスムーズに取り出せるようにしている。封筒３９は、例えば銀行などで現金を入れるために配布されるものである。
【０００９】
封筒収納ボックス１は金属製直方体形状であり、断面コ字状のカバー３とこのカバー３にはめ付けられた断面コ字状のシャーシ5を有している。カバー３とシャーシ５（より具体的には上方開口を有する直方体を形成するカバー3及びシャーシ５の部分がボックス本体を形成する）、は側部上端同士がヒンジ３５で結合されて、互いに回転させて下側を開閉できるように構成されている。カバー３は前面プレート部７（前面部）、左右両側の側面プレート部９、底面プレート部１１及び上面プレート部１７を有している。上面プレート部１７と前面プレート部７の上端との間には封筒の取り出しに支障が無いような隙間が形成されている。カバー３の前面プレート部７の下側には、長方形状の確認窓部１３が開けられ前面プレート部３の上端中央部にはＵ字状の摘み用凹部１５が形成されている。カバー３の底面プレート部１１の幅方向中央には、後端部からネジ止め用スリット３３が前後方向中央まで切り込み形成されている。カバー３の上面プレート部１７は、カバー３の側面プレート部９上端から折り曲がって延びる一対のプレート片により形成されていてこの一対のプレート片の中央部には、Ｕ字状の摘み用凹部１５の幅とほぼ同一の隙間が形成されている。シャーシ５は、背面プレート部１８と左右両側の側面プレート部３７と底部３８と上端部４０とを備えている。シャーシ５の背面プレート部１８（背面部）の上側には、Ｕ字状の摘み用凹部２３が形成され背面プレート部１８の摘み用凹部２３の両側からは上方に傾斜しながら前方に延びる一対の案内プレート部１９（規制プレート部）が形成され、この一対の案内プレート部１９前端部には上方に延びる折り曲げ形成された短い封筒取り出し用ガイド２１（折り曲げ部）が設けられている。シャーシ５をカバー３に取りつけたときに、この封筒取り出し用ガイド２１はこのカバー３の前面プレート部７の上側の裏面との間で封筒を一枚だけ通過させるような隙間２２（封筒取り出し部）を形成するように構成されている。背面プレート部１８は、下端中央部から屈曲して前方に延びる固定用プレート部２７と上方に傾斜して前方に延びる両側の封筒乗せ部２５（薄物配布物載置部）を有している。固定用プレート部２７の先端にはネジ穴３１が形成され、このネジ穴３１には、頭部を有する固定用ネジ４１が差し込まれていて、この固定用ネジ４１が底面プレート部１１のネジ止め用スリットに収まるようにカバー３及びシャーシ５を回転させ固定用ネジ４１をネジ穴３１にねじ込んで固定用ネジ４１の頭部をカバー３の底面プレート部１１に押しつけることによりカバー３とシャーシ５を固定する。シャーシ５の背面プレート部１８の取付穴２９は、壁等にネジで取りつけるときに使用するネジ通し為の穴である。
【００１０】
次に図５乃至図８を参照して封筒収納ボックスの使用方法を説明する。
【００１１】
まず図５及び図６に示すように、カバー３を開いてシャーシ５内に、封筒載せ部２５に載るように多数枚の封筒の束３９を配置し（図５）、カバー３を閉じて封筒の束３９を封筒収納ボックス１に収納する（図６）。
【００１２】
封筒収納ボックス１に収容された封筒３９を取り出す場合は、図７に示すように、親指と人差し指や中指で封筒３９をつかみ引き上げる（図７a、図７b）。封筒３９をさらに引き上げると、封筒３９は封筒取り出し部の隙間２２を通過して（図７c）、上面プレート部１７と前面プレート部７の先端との間の隙間を通過して封筒収納ボックス１から取り出すことができる（図７d及び図８）
【符号の説明】
【００１３】
１  ・・・封筒収納ボックス本体
３  ・・・カバー
５  ・・・シャーシ
７  ・・・前面プレート部
９  ・・・左右側面プレート部
１１・・・底面プレート部
１３・・・確認窓部
１５・・・Ｕ字状の摘み用凹部（カバー側）
１７・・・上部プレート部
１８・・・背面プレート部
１９・・・案内プレート部
２１・・・封筒取り出し用ガイド
２２・・・隙間
２３・・・Ｕ字状の摘み用凹部（シャーシ側）
２５・・・封筒載せ部
２７・・・固定用プレート部
２９・・・取付穴
３１・・・ネジ穴
３３・・・ネジ止め用スリット
３５・・・ヒンジ
３７・・・側面プレート部
３８・・・底面部
３９・・・封筒
４０・・・上端部
４１・・・固定用ネジ
【図１】
2019026308.tif 000003
【図２】
2019026308.tif 000004
【図３】
2019026308.tif 000005
【図４】
2019026308.tif 000006
【図５】
2019026308.tif 000007
【図６】
2019026308.tif 000008
【図７】
2019026308.tif 000009
【図８】
2019026308.tif 000010
【手続補正書】
【提出日】平成29年10月30日(2017.10.30)
【手続補正２】
【補正対象書類名】手続補正書
【補正対象項目名】手続補正３
【補正方法】削除
【補正の内容】
【手続補正３】
【補正対象書類名】手続補正書
【補正対象項目名】手続補正４
【補正方法】削除
【補正の内容】